(57)【特許請求の範囲】
【請求項１】
第１のシートと第２のシートとが、少なくともその一部が擬似接着部となって前記第１のシートの１つの辺側の角部以外から剥離可能に接着されてなる擬似接着シートにおいて、
前記第１のシートは、前記１つの辺から斜めに切り込まれ、その後、鈍角に折れ曲がって当該１つの辺と並行して延びる切り込み線が形成され、少なくとも、前記擬似接着部と、前記１つの辺と前記切り込み線とで囲まれた領域の少なくとも一部とが前記第２のシートに接着され、
前記第１のシートと前記第２のシートとは、前記１つの辺を除く３つの辺に沿う領域が強接着部となって互いに接着され、前記擬似接着部が互いに剥離されて前記１つの辺側を開口部とした袋部を形成する、擬似接着シート。
【請求項２】
第１のシートと第２のシートとが、少なくともその一部が擬似接着部となって前記第１のシートの１つの辺側の角部以外から剥離可能に接着されてなる擬似接着シートにおいて、
前記第１のシートは、前記１つの辺から斜めに切り込まれ、その後、鈍角に折れ曲がって当該１つの辺と並行して延びる切り込み線が形成され、少なくとも、前記擬似接着部と、前記１つの辺と前記切り込み線とで囲まれた領域の少なくとも一部とが前記第２のシートに接着され、
前記第２のシートは、前記第１のシートとの接着面とは反対側の面に粘着層を介して剥離シートが剥離可能に貼付されている、擬似接着シート。
【請求項３】
請求項２に記載の擬似接着シートにおいて、
前記第１のシートと前記第２のシートとは、前記１つの辺を除く３つの辺に沿う領域が強接着部となって互いに接着され、前記擬似接着部が互いに剥離されて前記１つの辺側を開口部とした袋部を形成する、擬似接着シート。
【発明の詳細な説明】
【技術分野】
【０００１】
本発明は、少なくとも２枚のシートが剥離可能に接着されてなる擬似接着シートに関する。
【背景技術】
【０００２】
従来、配送物の配送に用いられる配送伝票として、配送伝票が貼付された配送物が配送先に配送された際に、配送伝票の一部である配達票に受領印が押下され、配達票が配送伝票から分離されて配送業者によって持ち帰ることができるように構成されたものが用いられている。このように配達票を分離して持ち帰ることができる配送伝票としては、例えば、裏面の全面に粘着剤が塗工されたベースシートの表面に、配送物が配送先に配送された後でも配送物に貼付されたままの状態とする貼付票を剥離困難に接着するとともに、上述した配達票を貼付票に並べて剥離可能に接着したものが用いられている。この配送伝票は、ベースシートの裏面に塗工された粘着剤によって配送物に貼付される。そして、配送物が配送先に配送されると、配達票に受領印が押下され、配達票がベースシートから剥離されることにより、配達票を配送伝票から分離することができる。
【０００３】
ところで、上述したように配達票がベースシートに剥離可能に接着された配送伝票においては、配達票に受領印が押下された後、配送業者が配達票をベースシートから容易に剥離できることが好ましい。そのため、配達票の外形をベースシートに対して小さくしたり、配達票の角部にコーナーカットを設けたりすることが考えられる。ところが、配達票の外形を小さくすることが好ましくない場合があり、また、配達票のデザイン上等の制約から角部にコーナーカットを設けることができない場合がある。
【０００４】
ここで、貼付票及び配達票を構成する伝票用紙と、ベースシートを構成するタック紙とからなる配送伝票において、配達票の１つの辺に、その辺からマージナル部側に突出したインデックス部分を設けた構成が、特許文献１に開示されている。この配送伝票においては、インデックス部分をきっかけとすることで配達票をタック紙から容易に剥離することができる。
【先行技術文献】
【特許文献】
【０００５】
【特許文献１】特許第４４９７４４０号公報
【発明の概要】
【発明が解決しようとする課題】
【０００６】
しかしながら、特許文献１に開示されたものにおいては、配達票をタック紙から剥離しやすくするための構成が、配達票の１つの辺からマージナル部側に突出したインデックス部分であるため、連続シートのようにマージナル部を予め有するものには適用することができるものの、単片状のものにおいてはマージナル部を新たに設ける必要があり、外形やデザインを大きく変更しなければならないという問題点がある。
【０００７】
また、インデックス部分が配達票の１つの辺から突出しているため、配送情報等を印字するためにプリンタ内を搬送される際に、このインデックス部分がプリンタ内にて引っ掛かって配達票がタック紙から剥離してしまう虞れがある。
【０００８】
本発明は、上述したような従来の技術が有する問題点に鑑みてなされたものであって、２枚のシートが少なくともその一部が擬似接着部となってシートの１つの辺側の角部以外から剥離可能に接着されてなる擬似接着シートにおいて、外形やデザインを大きく変更することなく、かつ、情報を印字する際にプリンタ内にて引っ掛かるような部分を有することなく、２枚のシートの擬似接着部を容易に剥離することができる擬似接着シートを提供することを目的とする。
【課題を解決するための手段】
【０００９】
上記目的を達成するために本発明は、
第１のシートと第２のシートとが、少なくともその一部が擬似接着部となって前記第１のシートの１つの辺側の角部以外から剥離可能に接着されてなる擬似接着シートにおいて、
前記第１のシートは、前記１つの辺から斜めに切り込まれ、その後、鈍角に折れ曲がって当該１つの辺と並行して延びる切り込み線が形成され、少なくとも、前記擬似接着部と、前記１つの辺と前記切り込み線とで囲まれた領域の少なくとも一部とが前記第２のシートに接着され、
前記第１のシートと前記第２のシートとは、前記１つの辺を除く３つの辺に沿う領域が強接着部となって互いに接着され、前記擬似接着部が互いに剥離されて前記１つの辺側を開口部とした袋部を形成する。
【００１０】
上記のように構成された本発明においては、第１のシートと第２のシートの擬似接着部を第１のシートの１つの辺側の角部以外から剥離する場合、第１のシートには、当該１つの辺から斜めに切り込まれ、その後、鈍角に折れ曲がって当該１つの辺と並行して延びる切り込み線が形成されているとともに、第１のシートの前記１つの辺と切り込み線とで囲まれた領域の少なくとも一部が第２のシートに接着されているので、斜めの切り込みによって上シートの１つの辺上に生じる角部のうち、第１のシートの当該１つの辺と切り込み線とで囲まれた領域ではない方の角部から第１のシートを捲り上げるようにして第１のシートと第２のシートの擬似接着部を容易に剥離していくことができる。そして、第１のシートの前記１つの辺と切り込み線とで囲まれた領域が第２のシートに接着された状態で、第１のシートと第２のシートの擬似接着部が剥離されることになる。また、切り込み線が、第１のシートの１つの辺から内側に斜めに切り込まれ、その後、鈍角に折れ曲がって当該１つの辺と並行して延びるものであるため、第１のシートと第２のシートの擬似接着部を剥離しようとした際、第１のシートが、第１のシートの１つの辺からの切り込みの延長線上に破断しにくくなる。そして、この切り込み線は、第１のシートからその外側に突出するようなものではなく、第１のシートの１つの辺から斜めに切り込まれ、その後、鈍角に折れ曲がって当該１つの辺と並行して延びるものであるため、シートの外形やデザインを大きく変更することなく、かつ、情報を印字する際にプリンタ内にて引っ掛かるような部分とはならない。
【００１１】
また、第１のシートと第２のシートとで袋部を形成する場合は、シートの角部を第１のシートと第２のシートとを剥離する剥離開始端とすることができないが、上記構成とした上で、前記１つの辺を除く３つの辺に沿う領域が強接着部となって互いに接着され、擬似接着部が互いに剥離されて前記１つの辺側を開口部とした袋部を形成することにより、シートの外形やデザインを大きく変更することなく、かつ、情報を印字する際にプリンタ内にて引っ掛かるような部分を有することなく、シートの角部ではなくシートの１つの辺側を剥離開始端として袋部を容易に形成することができる。また、切り込み線が、第１のシートの１つの辺から斜めに切り込まれ、その後、鈍角に折れ曲がって当該１つの辺と並行して延びるものであることから、袋部を形成するために擬似接着部を剥離する際、第１のシートが、第１のシートの１つの辺からの切り込みの延長線上に破断しにくくなる。
【００１２】
また、第２のシートの第１のシートとの接着面とは反対側の面に粘着層を介して剥離シートが剥離可能に貼付されている構成においては、剥離シートを剥離して配送物等に貼付することができる。
【発明の効果】
【００１３】
本発明によれば、第１のシートと第２のシートの擬似接着部を剥離するためにその剥離開始端として用いられる切り込み線が、第１のシートの１つの辺から斜めに切り込まれ、その後、鈍角に折れ曲がって当該１つの辺と並行して延びるものであるため、２枚のシートが少なくともその一部が擬似接着部となってシートの１つの辺側の角部以外から剥離可能に接着されてなる擬似接着シートにおいて、外形やデザインを大きく変更することなく、かつ、情報を印字する際にプリンタ内にて引っ掛かるような部分を有することなく、２枚のシートの擬似接着部を容易に剥離することができる。
【００１４】
また、第１のシートと第２のシートとが、前記１つの辺を除く３つの辺に沿う領域が強接着部となって互いに接着され、擬似接着部が互いに剥離されて前記１つの辺側を開口部とした袋部を形成することにより、シートの外形やデザインを大きく変更することなく、かつ、情報を印字する際にプリンタ内にて引っ掛かるような部分を有することなく、シートの角部ではなくシートの１つの辺側を剥離開始端として袋部を容易に形成することができる。袋部は端部である角部以外から開く必要があるため、特に有効である。
【００１５】
また、第２のシートの第１のシートとの接着面とは反対側の面に粘着層を介して剥離シートが剥離可能に貼付されているものにおいては、剥離シートを剥離して配送物等に貼付することができる。
【図面の簡単な説明】
【００１６】
【図１】本発明の擬似接着シートの第１の実施の形態を示す図であり、（ａ）は表面図、（ｂ）は（ａ）に示したＡ−Ａ’断面図、（ｃ）は下基材の上基材との接着面の構成を示す図である。
【図２】図１に示した擬似接着シートの使用例を示す図であり、（ａ）は表面図、（ｂ）は（ａ）に示したＡ−Ａ’断面図である。
【図３】図２に示した配送用伝票の使用方法を説明するための図である。
【図４】図２に示した送票について切り込み線が上シートの１つの辺から斜めに切り込まれていることによる効果を説明するための図である。
【図５】本発明の擬似接着シートの第２の実施の形態を示す図であり、（ａ）は表面図、（ｂ）は（ａ）に示したＡ−Ａ’断面図、（ｃ）は下基材の上基材との接着面の構成を示す図である。
【図６】図５に示した擬似接着シートの使用例を示す図であり、（ａ）は表面図、（ｂ）は（ａ）に示したＡ−Ａ’断面図である。
【図７】図６に示した配送伝票の使用方法を説明するための図である。
【発明を実施するための形態】
【００１７】
以下に、本発明の実施の形態について図面を参照して説明する。
【００１８】
（第１の実施の形態）
図１は、本発明の擬似接着シートの第１の実施の形態を示す図であり、（ａ）は表面図、（ｂ）は（ａ）に示したＡ−Ａ’断面図、（ｃ）は下基材２０の上基材１０との接着面の構成を示す図である。
【００１９】
本形態は図１に示すように、同一形状を有する四角形状の上基材１０、下基材２０及び剥離シート３０がこの順で積層され、互いに接着されて構成されている。
【００２０】
上基材１０は、その外形に沿って表裏貫通したスリット７０が形成されており、スリット７０の内側の領域が本発明における第１のシートである上シート１１となり、スリット７０の外側の領域がカス部１２となっている。そして、上シート１１の１つの辺、すなわちスリット７０の一部から、上シート１１のみを表裏貫通した切り込み線１３が形成されている。この切り込み線１３は、上シート１１の１つの辺から斜めに切り込まれ、その後、鈍角に折れ曲がって当該１つの辺と並行して延び、上シート１１の他の辺の手前まで達している。また、下基材２０との接着面の一部にニスが塗工されることで剥離層５０が積層されている。
【００２１】
下基材２０は、上基材１０に形成されたスリット７０がそのまま下基材２０の表裏も貫通して形成されており、スリット７０の内側の領域が本発明における第２のシートである下シート２１となり、スリット７０の外側の領域がカス部２２となっている。また、下基材２０の上基材１０との接着面には、４つの辺のうち、スリット７０の切り込み線１３に対向する辺部が沿う辺以外の３つの辺に沿う領域に、下シート２１とカス部２２とに跨がって接着剤がベタ状に塗工されることで接着層４２が積層されている。また、下基材２０の残りの１つの辺に沿う領域においても、切り込み線１３に対向する領域においては切り込み線１３よりも外側に切り込み線１３に沿うように、また、切り込み線１３に対向しない領域においてはスリット７０の外側にスリット７０に沿うように接着剤がベタ状に塗工されることで接着層４２が積層されている。また、下基材２０の上基材１０との接着面においては、接着層４２に囲まれた領域のうち、スリット７０の切り込み線１３に対向する辺部が沿う辺から一定幅を除いた全面に、接着層４２を構成する接着剤と同一の接着剤がドットパターン状に塗工されることで接着層４１が積層されている。上基材１０の下基材２０との接着面に積層された剥離層５０は、この接着層４１に対向する領域において、その一部が接着層４１よりも一回り大きなものとなっている。また、下基材２０の剥離シート３０との接着面には、その全面に粘着剤が塗工されることで粘着層６０が積層されており、それにより、下基材２０と剥離シート３０とが剥離可能に接着されている。すなわち、下シート２１は、上シート１１との接着面とは反対側の面に粘着層６０を介して剥離シート３０が剥離可能に接着されている。
【００２２】
このように構成された上基材１０と下基材２０とは、下基材２０の接着層４２が積層された領域が強接着部３となって接着層４２によって剥離困難に接着されている。これにより、上シート１１は、切り込み線１３が形成された辺を除く３辺に沿う領域と、切り込み線１３とこの切り込み線１３が形成された辺とで囲まれた領域とが強接着部３となって下シート２１に剥離困難に接着されている。また、上基材１０と下基材２０とは、下基材２０の接着層４１が積層された領域が擬似接着部２となって接着層４１及び剥離層５０によって剥離可能に接着されている。なお、剥離困難とは、上基材１０と下基材２０とを人間の手によって剥離した場合に、上基材１０と下基材２０自体が裂かれたり厚み方向に分割されたりする程度に強接着されていることである。
【００２３】
以下に、上記のように構成された擬似接着シート１の使用例について説明する。
【００２４】
図２は、図１に示した擬似接着シート１の使用例を示す図であり、（ａ）は表面図、（ｂ）は（ａ）に示したＡ−Ａ’断面図である。
【００２５】
図１に示した擬似接着シート１は、例えば図２に示すような配送用伝票１ａとして使用される。この配送用伝票１ａは、納品書４と送票５とが並んだ状態で剥離シート３０に剥離可能に接着されて構成されている。
【００２６】
送票５は、図１に示した擬似接着シート１からカス部１２，２２を取り除いた構成を有しており、上シート１１が、切り込み線１３が形成された辺を除く３辺に沿う領域が強接着部３となって下シート２１に剥離困難に接着されていることで、上シート１１の切り込み線１３とこの切り込み線１３が切り込まれた辺を開口部とした袋部８を形成している。また、上シート１１の表面には、この送票５が貼付される配送物の配送先の住所や氏名あるいは名称等の配送情報が印字される配送情報表示領域７が設けられている。
【００２７】
納品書４は、上シート１１の表面に、送票５が貼付される配送物の納品情報が印字される納品情報表示領域６が設けられており、その積層構造は、送票５の積層構造とは異なり、剥離層５０が上シート１１の下シート２１との接着面の全面に積層されているとともに、下シート２１の上シート１１との接着面の全面に接着剤がドットパターン状に塗工されることで接着層４１が積層されている。それにより、納品書４においては、上シート１１と下シート２１とが、その全面にて接着層４１及び剥離層５０によって剥離可能に接着されている。
【００２８】
以下に、上述した配送用伝票１ａの使用方法について説明する。
【００２９】
図３は、図２に示した配送用伝票１ａの使用方法を説明するための図である。
【００３０】
上記のように構成された配送用伝票１ａは、まず、上シート１１の納品書４に設けられた納品情報表示領域６に、送票５が貼付される配送物の納品情報が印字されるとともに、上シート１１の送票５に設けられた配送情報表示領域７に、送票５が貼付される配送物の配送情報が印字されることになる。例えば、図２に示した配送用伝票１ａを、納品書４と送票５とが並ぶ方向に剥離シート３０が連続した構成とし、剥離シート３０が連続した方向にプリンタ内を搬送されながら、上シート１１の納品書４に設けられた納品情報表示領域６に、送票５が貼付される配送物の納品情報が印字されるとともに、上シート１１の送票５に設けられた配送情報表示領域７に、送票５が貼付される配送物の配送情報が印字される。
【００３１】
その際、上シート１１には、後述するように下シート２１との擬似接着部２を剥離して袋部８を形成しやすくするために切り込み線１３が形成されているが、この切り込み線１３が、上シート１１からその外側に突出するようなものではなく、上シート１１の１つの辺から斜めに切り込まれ、その後、鈍角に折れ曲がって当該１つの辺と並行して延びるものであるため、納品情報や配送情報を印字する際にプリンタ内にて引っ掛かるような部分とはならない。
【００３２】
また、上述したように配送用伝票１ａを剥離シート３０が連続した構成としたものにおいては、マージナル部を有する構成とすることも考えられる。その場合、上シート１１と下シート２１との擬似接着部２を剥離して袋部８を形成しやすくするための構造として、マージナル部を利用して上シート１１からマージナル部側に突出した突出部を設けた構成とすることも考えられるが、本形態における配送用伝票１ａにおいては、上シート１１と下シート２１との擬似接着部２を剥離して袋部８を形成しやすくするための構造が、上シート１１の内部に形成された切り込み線１３によるものであるため、上述したように配送用伝票１ａを剥離シート３０が連続した構成としたものに限らず、単片状のものであっても適用することができる。
【００３３】
上記のようにして、上シート１１の納品書４に設けられた納品情報表示領域６に、送票５が貼付される配送物の納品情報６ａが印字されるとともに、上シート１１の送票５に設けられた配送情報表示領域７に、送票５が貼付される配送物の配送情報７ａが印字された配送用伝票１ａを使用する場合は、まず、図３（ａ）に示すように、納品書４について上シート１１と下シート２１とを剥離するとともに、送票５について上シート１１及び下シート２１を剥離シート３０から剥離する。納品書４においては、上シート１１と下シート２１とが上述したように接着層４１及び剥離層５０によって剥離可能に接着されているため、上シート１１と下シート２１とを剥離することができ、また、送票５においては、下シート２１が上述したように剥離シート３０に剥離可能に接着されているため、上シート１１及び下シート２１を剥離シート３０から剥離することができる。
【００３４】
次に、剥離シート３０から剥離した送票５を、図３（ｂ）に示すように被着体となる配送物８０に貼付する。送票５は、上シート１１と下シート２１とが接着された状態で剥離シート３０から剥離されており、下シート２１の上シート１１との接着面とは反対側の面にはその全面に粘着層６０が積層されているため、この粘着層６０によって送票５を配送物８０に貼付することができる。
【００３５】
次に、図３（ｃ）に示すように、上シート１１と下シート２１との擬似接着部２を剥離して袋部８を形成するために、上シート１１の１つの辺からの斜めの切り込みによって上シート１１の１つの辺上に生じた角部１４ａ，１４ｂのうち、上シート１１のその辺と切り込み線１３とで囲まれた領域ではない方の角部１４ａを指９０で捲り上げるようにする。上シート１１のこの斜めの切り込みが形成された領域は、上述したように、斜めの切り込みと繋がる辺と切り込み線１３とで囲まれた領域が接着層４２によって下シート２１と剥離困難に接着されている一方、斜めの切り込みを介して反対側の領域が下シート２１と接着されていないため、上シート１１の下シート２１と接着されていない側の角部１４ａを、下シート２１からの剥離のきっかけとして用いて指９０で捲り上げることができる。
【００３６】
そして、図３（ｄ）に示すように、上シート１１のうち、切り込み線１３を構成する斜めの切り込みと繋がる辺と切り込み線１３とで囲まれた領域が下シート２１に接着された状態で、上シート１１を捲り上げて上シート１１と下シート２１との間に指９０を入り込ませていくと、擬似接着部２においては上シート１１と下シート２１とが接着層４１及び剥離層５０によって剥離可能に接着されていることで上シート１１と下シート２１とが剥離し、上シート１１の切り込み線１３と、この切り込み線１３が切り込まれた辺のうち切り込み線１３に沿わない部分とを開口部とした袋部８が形成されることになる。
【００３７】
このようにして上シート１１と下シート２１との間に袋部８を形成した後、図３（ｅ）に示すように、折り畳んだ上シート１１のみからなる納品書４を袋部８の開口部から挿入して納品書４を袋部８に収納し、配送物８０を配送先に配送することになる。
【００３８】
このように、配送物８０に貼付された送票５について、送票５を構成する上シート１１と下シート２１との擬似接着部２が剥離されることで、納品書４を収納するための袋部８が構成されるが、上シート１１と下シート２１との擬似接着部２を剥離して袋部８を形成しやすくするための構造が、上シート１１からその外側に突出するようなものではなく、上シート１１の１つの辺から切り込まれて内部に形成された切り込み線１３によるものであるため、上シート１１と下シート２１とを同一形状とし、その辺が互いに重なり合った構成としながらも、その１つの辺側の角部以外から上シート１１と下シート２１との擬似接着部２を容易に剥離することができる。特に、上シート１１及び下シート２１の辺はそれぞれ直線からなるものであるため、上シート１１と下シート２１の辺が互いに重なり合っている場合、その１つの辺側から上シート１１と下シート２１との擬似接着部２を剥離する際の剥離開始端を形成しにくいが、本形態のように、上シート１１の下シート２１からの擬似接着部２の剥離開始側とする辺から斜めに切り込まれ、その後、鈍角に折れ曲がって上シート１１のその１つの辺と並行して延びた切り込み線１３を上シート１１に形成することで、上シート１１を下シート２１から剥離する際のきっかけとなる角部１４ａを形成することができるとともに、上シート１１と下シート２１との剥離部分の辺が一部ずれた状態となるため、上シート１１と下シート２１との擬似接着部２を容易に剥離することができる。これにより、上シート１１の外形やデザインを大きく変更することなく、上シート１１と下シート２１との擬似接着部２を剥離して袋部８を容易に形成することができる。また、上述したように上シート１１と下シート２１とがその３つの辺に沿う領域が強接着部３となって接着されることで袋部８が形成される場合は、袋部８は、そもそも上シート１１及び下シート２１の角部以外から開く必要があるため、その開く部分に、切り込み線１３を用いた上記構成を持たせることは特に有効なものとなる。
【００３９】
ここで、切り込み線１３が、上シート１１の１つの辺から斜めに切り込まれていることによる効果について説明する。
【００４０】
図４は、図２に示した送票５について切り込み線１３が上シート１１の１つの辺から斜めに切り込まれていることによる効果を説明するための図である。
【００４１】
図２に示した送票５について、切り込み線１３が上シート１１の１つの辺から斜めではなく、図４（ａ）に示すように垂直に切り込まれているとした場合、上シート１１の切り込み線１３によって生じた辺上の角部１４ａ，１４ｂのうち下シート２１と接着されていない側の角部１４ａから上シート１１を捲り上げていこうとすると、切り込み線１３が折れ曲がる領域において、上シート１１の分離領域が、切り込み線１３が折れ曲がっていく方向には向かいにくく、それのより、上シート１１が、上シート１１の１つの辺からの切り込みの延長線上に破断しやすくなってしまう。特に、本形態のように、上シート１１と下シート２１との擬似接着部２のみを剥離して袋部８を形成する場合、上シート１１と下シート２１との擬似接着部２を剥離する際の剥離方向をコントロールしにくいため、上シート１１の１つの辺からの切り込みの方向に上シート１１が破断しやすくなってしまう。
【００４２】
これに対して、本形態のように、切り込み線１３が上シート１１の１つの辺から斜めに切り込まれ、その後、鈍角に折れ曲がって上シート１１のその１つの辺と並行して延びた構成とすれば、図４（ｂ）に示すように、上シート１１の１つの辺からの切り込みによる上シート１１の分離領域が向かう方向が、切り込み線１３が折れ曲がっていく方向に近いものとなることにより、上シート１１が破断することなく、袋部８の開口部を形成することができる。
【００４３】
なお、本形態においては、下基材２０の上基材１０との接着面の接着層４２に囲まれた領域のうち、スリット７０の切り込み線１３に対向する辺部が沿う辺から一定幅を除いた全面に、接着層４２を構成する接着剤と同一の接着剤がドットパターン状に塗工されることで接着層４１が積層されているが、下基材２０の上基材１０の接着面の接着層４２に囲まれた領域の全面に接着層４１が積層された構成とすることも考えられる。
【００４４】
また、下基材２０の上基材１０との接着面のうち、スリット７０の切り込み線１３に対向する辺部が沿う辺に沿う領域において、接着剤がベタ状に塗工されることで積層された接着層４２の代わりに、接着剤がドットパターン状に塗工されることで接着層４１が積層された構成としてもよい。
【００４５】
（第２の実施の形態）
図５は、本発明の擬似接着シートの第２の実施の形態を示す図であり、（ａ）は表面図、（ｂ）は（ａ）に示したＡ−Ａ’断面図、（ｃ）は下基材１２０の上基材１１０との接着面の構成を示す図である。
【００４６】
本形態は図５に示すように、第１の実施の形態に示したものに対して、その外形が若干異なる四角形状であるとともに、切り込み線１１３が上シート１１１の１つの辺から斜めに切り込まれ、その後、折れ曲がって上シート１１１の他の辺まで達している点が異なるものである。さらに本形態は、上基材１１０の下基材１２０との接着面の全面にニスが塗工されることで剥離層１５０が積層されているとともに、下基材１２０の上基材１１０との接着面の全面に接着剤がドットパターン状に塗工されることで接着層１４１が積層されている点が、第１の実施の形態にて示したものと異なるものである。
【００４７】
このように構成された上基材１１０と下基材１２０とは、その全面が擬似接着部１０２となって接着層１４１及び剥離層１５０によって剥離可能に接着されている。
【００４８】
以下に、上記のように構成された擬似接着シート１０１の使用例について説明する。
【００４９】
図６は、図５に示した擬似接着シート１０１の使用例を示す図であり、（ａ）は表面図、（ｂ）は（ａ）に示したＡ−Ａ’断面図である。
【００５０】
図５に示した擬似接着シート１０１は、例えば図６に示すような配送伝票１０１ａとして使用される。この配送伝票１０１ａは、貼付票１０４と配達票１０５とがスリット１０９を介して分離可能に連接した状態で剥離シート１３０に剥離可能に接着されて構成されている。
【００５１】
配達票１０５は、図５に示した擬似接着シート１０１からカス部１１２，１２２を取り除いた構成を有し、貼付票１０４とは反対側の辺から切り込み線１１３が切り込まれて形成されている。また、上シート１１１の表面には、この配送伝票１０１ａが貼付される配送物の配送先の住所や氏名あるいは名称等の配送情報が印字される配送情報表示領域１０７と、この配送伝票１０１ａが貼付されて配送される配送物の配送先にて受領印を押下するための押印領域１０８が設けられている。
【００５２】
貼付票１０４は、上シート１１１の表面に、この配送伝票１０１ａが貼付される配送物の配送先の住所や氏名あるいは名称等の配送情報が印字される配送情報表示領域１０６が設けられており、その積層構造は、配達票１０５の積層構造とは異なり、上シート１１１の下シート１２１との接着面の全面に接着剤がベタ状に塗工されることで接着層１４２が積層されている。それにより、貼付票１０４においては、上シート１１１と下シート１２１とが、その全面にて接着層１４２によって剥離困難に接着されている。
【００５３】
なお、スリット１０９は、貼付票１０４と配達票１０５との境界部分において、上シート１１１を貫通するように形成されており、下シート１２１には貫通していない。
【００５４】
以下に、上述した配送伝票１０１ａの使用方法について説明する。
【００５５】
図７は、図６に示した配送伝票１０１ａの使用方法を説明するための図である。
【００５６】
上記のように構成された配送伝票１０１ａは、まず、上シート１１１の貼付票１０４及び配達票１０５にそれぞれ設けられた配送情報表示領域１０６，１０７に、配送伝票１０１ａが貼付される配送物の配送情報が、例えばプリンタ内を搬送されながら印字されることになる。
【００５７】
その際、上シート１１１の配達票１０５となる領域には、後述するように配達票１０５となる領域を下シート１２１から剥離しやすくするために切り込み線１１３が形成されているが、この切り込み線１１３が、上シート１１１からその外側に突出するようなものではなく、上シート１１１の１つの辺から斜めに切り込まれ、その後、鈍角に折れ曲がって当該１つの辺と並行して延びるものであるため、配送情報を印字する際にプリンタ内にて引っ掛かるような部分とはならない。
【００５８】
上記のようにして、上シート１１１の貼付票１０４及び配達票１０５にそれぞれ設けられた配送情報表示領域１０６，１０７に、配送物の配送情報１０６ａ，１０７ａが印字された配送伝票１０１ａを使用する場合は、まず、図７（ａ）に示すように、貼付票１０４と配達票１０５のそれぞれについて下シート１２１を剥離シート１３０から剥離する。下シート１２１は、上述したように剥離シート１３０に剥離可能に接着されており、スリット１０９が下シート１２１には貫通していないため、貼付票１０４と配達票１０５とが一体となった状態で、下シート１２１を剥離シート１３０から剥離することができる。
【００５９】
次に、剥離シート１３０から剥離した配送伝票１０１ａを、図７（ｂ）に示すように被着体となる配送物１８０に貼付する。下シート１２１の上シート１１１との接着面とは反対側の面にはその全面に粘着層１６０が積層されているため、この粘着層１６０によって配送伝票１０１ａを配送物１８０に貼付することができる。
【００６０】
このようにして配送伝票１０１ａが貼付された配送物１８０が、配送情報表示領域１０６，１０７に印字された配送情報１０６ａ，１０７ａに従って配送先に届けられ、配達票１０５の押印領域１０８に受領印１０８ａが押下された後、上シート１１１の配達票１０５となる領域を下シート１２１から剥離するために、図７（ｃ）に示すように、上シート１１１のうち配達票１０５となる領域の貼付票１０４とは反対側の辺からの斜めの切り込みによって上シート１１１の１つの辺上に生じた角部１１４ａ，１１４ｂのうち、上シート１１１のその辺と切り込み線１１３とで囲まれた領域ではない方の角部１１４ａを指１９０で捲り上げるようにする。上シート１１１のこの斜めの切り込みが形成された領域は、配達票１０５の貼付票１０４とは反対側の辺と切り込み線１１３とで囲まれた領域が接着層４１及び剥離層１５０によって下シート１２１と剥離可能に接着されているとともに、斜めの切り込みを介した反対側の領域も、接着層４１及び剥離層１５０によって下シート１２１と剥離可能に接着されているため、上シート１１１のその辺と切り込み線１１３とで囲まれた領域ではない方の角部１１４ａを、下シート１２１からの剥離のきっかけとして用いて指１９０で捲り上げることができる。
【００６１】
そして、図７（ｄ）に示すように、上シート１１１のうち、配達票１０５の貼付票１０４とは反対側の辺と切り込み線１１３とで囲まれた領域が残存部１０５ａとなって下シート１２１に接着された状態で、上シート１１１の配達票１０５となる領域の他の部分を下シート１２１から剥離することができる。
【００６２】
このようにして上シート１１１のうち配達票１０５となる領域は、図７（ｅ）に示すように下シート１２１から剥離され、配送業者にて持ち帰られることになる。
【００６３】
このように本形態においては、上シート１１１に形成された切り込み線１１３によって、上シート１１１のうち配達票１０５となる領域を下シート１２１から容易に剥離することができる。そして、上シート１１１のうち配達票１０５となる領域を下シート１２１からしやすくするための構造が、上シート１１１からその外側に突出するようなものではなく、上シート１１１の１つの辺から切り込まれて内部に形成された切り込み線１１３によるものであるため、上シート１１１と下シート１２１とを同一形状とし、その辺が互いに重なり合った構成としながらも、その１つの辺側の角部以外から上シート１１１のうち配達票１０５となる領域を下シート１２１から容易に剥離することができる。これにより、上シート１１１の外形やデザインを大きく変更することなく、上シート１１１のうち配達票１０５となる領域を下シート１２１から容易に剥離することができる。
【符号の説明】
【００６４】
１，１０１    擬似接着シート
１ａ    配送用伝票
２，１０２    擬似接着部
３    強接着部
４    納品書
５    送票
６    納品情報表示領域
６ａ    納品情報
７，１０６，１０７    配送情報表示領域
７ａ，１０６ａ，１０６ｂ    配送情報
８    袋部
１０    上基材
１１，１１１    上シート
１２，２２，１１２，１２２    カス部
１３，１１３    切り込み線
１４ａ，１４ｂ，１１４ａ，１１４ｂ    角部
２０，１２０    下基材
２１，１２１    下シート
３０，１３０    剥離シート
４１，４２，１４１，１４２    接着層
５０，１５０    剥離層
６０，１６０    粘着層
７０，１０９，１７０    スリット
８０，１８０    配送物
９０，１９０    指
１０１ａ    配送伝票
１０４    貼付票
１０５    配達票
１０５ａ    残存部
１０８    押印領域
１０８ａ    受領印
【図１】
0006568728.tif 000002
【図２】
0006568728.tif 000003
【図３】
0006568728.tif 000004
【図４】
0006568728.tif 000005
【図５】
0006568728.tif 000006
【図６】
0006568728.tif 000007
【図７】
0006568728.tif 000008